(57)【要約】【課題】被乾燥対象を過剰に乾燥させてしまうのを抑制することを目的とする。【解決手段】ドライヤ１０は、被乾燥対象に温風を当てて被乾燥対象を乾燥させ、温風を発生させる温風発生部３０と、被乾燥対象の水分の含有量を検出する水分量検出部３１と、水分量検出部３１の検出結果に基づいて被乾燥対象の水分量が所定値以下であるか否かを判定する判定部４０ａと、判定部４０ａが、被乾燥対象の水分量が所定値以下であると判定した場合に、水分量の低下を報知する報知部３２とを備え、水分量検出部３１は、被乾燥対象の近赤外光の波長成分に基づいて水分の含有量を検出することを特徴とする。【選択図】図２
2020081625.tif 000002
【特許請求の範囲】
【請求項１】
被乾燥対象に温風を当てて被乾燥対象を乾燥させるドライヤであって、
前記温風を発生させる温風発生部と、
前記被乾燥対象の水分の含有量を検出する水分量検出部と、
前記水分量検出部の検出結果に基づいて前記被乾燥対象の水分量が所定値以下であるか否かを判定する判定部と、
前記判定部が、前記被乾燥対象の水分量が所定値以下であると判定した場合に、前記水分量の低下を報知する報知部とを備え、
前記水分量検出部は、前記被乾燥対象の近赤外光の波長成分に基づいて水分の含有量を検出すること、
を特徴とするドライヤ。
【請求項２】
近赤外線を前記被乾燥対象に照射する照射部を有すること、
を特徴とする請求項１に記載されたドライヤ。
【請求項３】
前記温風発生部が発生させる温風を制御する温風制御部を備え、
前記温風制御部は、前記判定部が、前記水分量が所定値以下であると判定した場合に、温風の風量、及び、温風の温度のうち少なくとも一方を低下させること、
を特徴とする請求項１又は請求項２に記載されたドライヤ。
【発明の詳細な説明】
【技術分野】
【０００１】
本発明は、被乾燥対象を乾燥させるドライヤに関する。
【背景技術】
【０００２】
従来、ヘアドライヤとして、吸入口及び吐出口を有する送風流路が形成されたドライヤ本体を備え、吐出口から吐出させた温風を使用者の毛髪にあてて乾燥させるようにしたものが知られている。
特許文献１では、毛髪の乾燥時間をカウントするタイマを設け、演算部が、タイマによりカウントされた乾燥時間に基づいて、加熱すべき目標温度を演算し、毛髪温度測定部から出力された出力結果に基づいて、毛髪温度測定部により測定された温度が目標温度に達したか否かを判定し、加熱された毛髪の温度が目標温度に達したか否かに基づき、報知部への出力を制御している。
しかし、加熱された毛髪の温度により報知する方法では、髪の水分量が失われて、被乾燥対象である髪が過剰に乾燥させられてしまい、ダメージを受けてしまう場合があった。
【先行技術文献】
【特許文献】
【０００３】
【特許文献１】特開２０１７−１９６０２０号公報
【発明の概要】
【発明が解決しようとする課題】
【０００４】
被乾燥対象を過剰に乾燥させてしまうのを抑制することを目的とする。
【課題を解決するための手段】
【０００５】
第１の発明では、被乾燥対象に温風を当てて被乾燥対象を乾燥させるドライヤ（１０）であって、前記温風を発生させる温風発生部（３０）と、前記被乾燥対象の水分の含有量を検出する水分量検出部（３１）と、前記水分量検出部の検出結果に基づいて前記被乾燥対象の水分量が所定値以下であるか否かを判定する判定部（４０ａ）と、前記判定部（４０ａ）が、前記被乾燥対象の水分量が所定値以下であると判定した場合に、前記水分量の低下を報知する報知部（３２）とを備え、前記水分量検出部（３１）は、前記被乾燥対象の近赤外光の波長成分に基づいて水分の含有量を検出すること、を特徴とするドライヤ（１０）を提供する。
第２の発明では、近赤外線を前記被乾燥対象に照射する照射部（３３）を有すること、を特徴とする第１の発明のドライヤ（１０）を提供する。
第３の発明では、前記温風発生部が発生させる温風を制御する温風制御部（４０ｂ）を備え、前記温風制御部（４０ｂ）は、前記判定部（４０ａ）が、前記水分量が所定値以下であると判定した場合に、温風の風量、及び、温風の温度のうち少なくとも一方を低下させること、を特徴とする第１の発明又は第２の発明のドライヤ（１０）を提供する。
【発明の効果】
【０００６】
本発明によれば、被乾燥対象を過剰に乾燥させてしまうのを抑制することができる。
【図面の簡単な説明】
【０００７】
【図１】第１実施形態のドライヤの構成を説明する図である。
【図２】第１実施形態のドライヤのブロック図である。
【図３】第１実施形態のドライヤの動作を説明するフローチャートである。
【図４】第２実施形態のドライヤの動作を説明するフローチャートである。
【発明を実施するための形態】
【０００８】
以下、本発明のドライヤにおける好適な実施の形態について、図１から図４を参照して詳細に説明する。
（第１実施形態）
図１は、本実施形態のドライヤ１０の構成を説明する図である。
本実施形態のドライヤ１０は、被乾燥対象である、使用者の髪を乾燥させる、いわゆるヘアドライヤである。
ドライヤ１０は、使用者の髪の水分量を測定して、一定値（閾値）以下になった場合、使用者に対して髪の過剰な乾燥を報知する機能を有している。
【０００９】
ドライヤ１０は、本体部２０、把持部２１を有する。
本体部２０は、温風を発生させる部分であり、温風発生部３０と、温風発生部３０から発生した温風を通過させる送風流路２２と、その温風をドライヤ１０の外部へと放出する吐出口２３と、温風発生部３０に空気を吸入させる吸入口２４とを備えている。
把持部２１は、本体部２０に一体に形成されており、ドライヤ１０の使用者が握る部分である。本実施形態のドライヤ１０は、本体部２０と把持部２１とでＴ字状又はＬ字状の外観となるように形成されている。
【００１０】
図２は、本実施形態のドライヤ１０のブロック図である。
本実施形態のドライヤ１０は、図２に示すように、その内部及び又は外装に、温風発生部３０、水分量検出部３１、報知部３２、照射部３３、ＯＮ／ＯＦＦスイッチ３４、操作部３５、表示部３６、記憶部３７、制御部４０等を備えている。
【００１１】
温風発生部３０は、温風を発生させる部分であり、送風部３０ａと加熱部３０ｂとを備える。
送風部３０ａは、駆動モータとファン等から構成された送風機である。
加熱部３０ｂは、例えば、電熱線等の電気抵抗体によって構成されたヒータである。
以上の構成により、温風発生部３０は、送風部３０ａにより吸入口２４から吸入した空気を加熱部３０ｂに送り、加熱部３０ｂにより加熱した空気を送風部３０ａにより吐出口２３からドライヤ１０の外部へと送出する。
温風発生部３０の送風部３０ａ及び加熱部３０ｂは、それぞれ制御部４０に接続されている。
【００１２】
水分量検出部３１は、使用者の髪（髪の毛）の水分量を測定する部分であり、本実施形態では、水分子の吸収波長帯を観測し、吸収量の大小により水分量を判断する近赤外線分光センサが用いられ、非接触で水分量を測定できる。本実施形態の水分量検出部３１は、水分量の検出精度を向上させる観点から、吐出口２３の近傍に配置される。
なお、近赤外線分光センサには、例えば、ＳＰＥＣＴＲＡＬ  ＥＮＧＩＮＥＳ社製の超小型近赤外分光センサーモジュール「ＮＭシリーズ」を用いることができる。
水分には光（近赤外線）の特定波長を吸収する性質があり、物質に含まれる水分量が多くなれば、吸収される光のエネルギーも大きくなるので、この現象を利用して水分量を測定することができる。
具体的には、水分に吸収される波長には、１．２、１．４５、１．９４、２．９５μｍ等があるので、水分の測定には、これらの波長光を測定光として選択して用いることができる。しかし、選択した測定光だけでは、検体の色や表面状態等の影響を受ける場合があるので、より正確に測定するには、水分に反応しない隣接した２つの波長光を参照光として同時に測定し、外乱要因を除去する。
例えば、水分量の測定値（ＩＭ−Ｄ）は以下の式にて求められる。
【００１３】
ＩＭ−Ｄ＝Ｋ・ＬＯＧ｛（Ｅ１＋Ｅ２）／（２・Ｅ３）｝
ここで、Ｅ１は、参照光のエネルギー（水分に反応しない波長光：１．８μｍ）であり、Ｅ２は、参照光のエネルギー（水分に反応しない波長光：２．１μｍ）であり、Ｅ３は、測定光のエネルギー（水分に吸収される波長光：１．９４μｍ）であり、Ｋは定数（ゲイン）である。
【００１４】
報知部３２は、水分量検出部３１によって測定した水分量が、所定の閾値（後述する）以下であることを使用者（ユーザー）に対して知らせる部分であり、本実施形態では、ＬＥＤ３２ａによる発光体により構成される。本実施形態の報知部３２は、ＬＥＤ３２ａの光を使用者の眼に届きやすくする観点から、吐出口２３の近傍に配置される。
なお、報知部３２は、発光体（ＬＥＤ）である例で説明するが、これに限定されるものでなく、音を発するブザーや、スピーカー、振動を発生するバイブレータ等のいずれか又は、これら複数の組み合わせにより構成されるようにしてもよい。
【００１５】
照射部３３は、より正確に水分量の測定を行うために必要な近赤外線を含む光を、被乾燥対象である髪に照射する光源であり、例えば、タングステンランプや、近赤外線ＬＥＤ等が用いられる。光の波長の異なる２以上の光源を使用すると好適である。本実施形態の照射部３３は、ドライヤ１０の吐出口２３の近傍に設けられており、ドライヤ１０から送出される温風の向きと、照射部３３から照射される光の向きが略一致するようにして配置されている。
なお、水分量検出部３１により十分に被乾燥対象である髪の水分量が測定できる場合、照射部３３を省略してもよい。
【００１６】
ＯＮ／ＯＦＦスイッチ３４は、ドライヤ１０の各部に供給される電源のＯＮとＯＦＦとを切り換えるスイッチである。
ＯＮ／ＯＦＦスイッチ３４は、把持部２１に設けられており、把持部２１を握った使用者の手によって操作される。
【００１７】
操作部３５は、後述する閾値の設定や、その他ドライヤ１０の操作に使用される複数のボタン群であり、例えば、「上げる」、「下げる」、「決定」、「開始」、及び「承認」等のボタンで構成される。
表示部３６は、ドライヤ１０の設定状態等を表示する表示装置であり、例えば、ドライヤ１０の設定状態や、後述する水分量の閾値、水分量検出部３１により検出した水分量の測定値等が表示される。表示部３６には、液晶表示装置等が使用できる。なお、表示部３６は、報知部３２としても使用可能である。
記憶部３７は、ＲＯＭとＲＡＭから構成される。ＲＯＭはドライヤ１０を制御する制御プログラムや、後述の判定部４０ａに係るプログラム等を保存している。ＲＡＭは一時記憶装置であり、入力された閾値や、水分量検出部３１が測定した測定値等を記憶している。
【００１８】
制御部４０は、ドライヤ１０の各部（３０〜３７）を統括して制御する部分であり、例えば、組み込み型マイコンなどが使用される。具体的には、制御部４０は、温風発生部３０、報知部３２、照射部３３、表示部３６、記憶部３７を制御する。制御部４０は、水分量検出部３１、ＯＮ／ＯＦＦスイッチ３４、及び操作部３５から測定結果や、操作情報を取得する。
本実施形態の制御部４０には、判定部４０ａ、温風制御部４０ｂが設けられている。
【００１９】
判定部４０ａは、水分量検出部３１が検出した水分量の測定値と、記憶部３７に記憶された閾値を比較し、水分量が閾値以下であるか否かを判定し、判定結果を出力する。
温風制御部４０ｂは、温風発生部３０を制御し、送風部３０ａの風量を調整したり、加熱部３０ｂの加熱量を調整したりする。
温風制御部４０ｂと温風発生部３０は電力を供給できる線で接続されている。本実施形態では、温風制御部４０ｂは、インバータ等の電力制御手段（不図示）を備えており、温風制御部４０ｂから温風発生部３０の電力が供給される。
【００２０】
次に、本実施形態のドライヤ１０の動作について説明する。
図３は、第１実施形態のドライヤ１０の制御部４０の処理を説明するフローチャートである。
使用者によりドライヤ１０のＯＮ／ＯＦＦスイッチ３４がＯＮにされたら、Ｓ１において、ドライヤ１０の制御部４０は、被乾燥対象である髪の水分量の閾値を設定するために、表示部３６に閾値の設定画面を表示する。
【００２１】
次に、使用者が表示部３６の表示に基づいて閾値を操作部３５に設けられたボタンにより入力する。閾値の入力方法については、例えば、使用者は操作部３５の「上がる」、「下がる」のボタンを使用して閾値を選択し、「決定」のボタンを押す。これにより閾値が決定される。
例えば、髪の水分量は１１％以上１５％以下が適当であるので、値としては１５％を入力することができる。
Ｓ２において、制御部４０は、操作部３５により入力された閾値を取得し、記憶部３７に保存する。
続いて、Ｓ３において、制御部４０は、表示部３６に乾燥処理を開始するか否かの画面を表示する。乾燥処理の開始が操作部３５を介して選択された場合（Ｓ３：Ｙｅｓ）、Ｓ４に進み、乾燥処理の開始が選択されていない場合（Ｓ３：Ｎｏ）、乾燥処理の開始が選択されるまで待機する。
【００２２】
使用者が、表示部３６に表示されたメッセージを確認して、操作部３５を介して乾燥処理の開始が選択されたら（Ｓ３：Ｙｅｓ）、Ｓ４において、制御部４０は、照射部３３を制御して、被乾燥対象である髪に対して近赤外光を含む光を照射する。
続いて、Ｓ５において、制御部４０は、水分量検出部３１を制御して、使用者の髪の水分量の測定を開始する。具体的には、制御部４０は、水分量検出部３１から測定値を入力する。
次に、Ｓ６において、制御部４０は、温風制御部４０ｂにより温風発生部３０を作動させて、使用者の髪に対し温風を送出する。
ここで、本実施形態の制御部４０の温風制御部４０ｂは、記憶部３７に記憶した水分量の閾値と、Ｓ５において測定した水分量の測定値とに基づいて、送風部３０ａ及び加熱部３０ｂを制御して温風の風量及び温度を適切に調節した上で、温風を送出させる。これにより、使用者の現在の髪の水分量に基づいて、好適な温度、風量の温風を使用者の髪に送出することができ、髪の乾燥効率を向上させることができる。
【００２３】
Ｓ７において、制御部４０は、判定部４０ａにより水分量検出部３１による測定値が閾値以下であるか否かを判定する。ここで、上述の水分量検出部３１による測定値は、一定時間（例えば、１０秒）の平均値を用いるようにしてもよい。また、平均については、相加平均や、相乗平均、二乗平均などの一般化平均を用いることができる。
測定値が閾値以下であると判定した場合（Ｓ７：Ｙｅｓ）、Ｓ８に進み、測定値が閾値以下でないと判定した場合（Ｓ７：Ｎｏ）、Ｓ５に戻り、髪の水分量の測定等を繰り返す。
【００２４】
測定値が閾値以下であると判定したら（Ｓ７：Ｙｅｓ）、Ｓ８において、制御部４０は、報知部３２のＬＥＤ３２ａを点燈させ、使用者に髪の水分量が閾値以下になった旨を報知する。また、制御部４０は、表示部３６に髪の水分量が閾値以下になった旨の報知画面を表示する。これにより、使用者に対して、髪の水分量が閾値以下になった旨をより気づき易くすることができる。
なお、使用者に対してより注意を引くようにするために、制御部４０は、ＬＥＤ３２ａを点滅させたり、異なる色に変色させたりするようにしてもよい。また、報知部３２は、ＬＥＤ３２ａを複数設けてより目立つようにしたり、各ＬＥＤの発光色を変化させたりするようにしてもよい。
【００２５】
更に、報知部３２による報知と同時に、制御部４０は、温風制御部４０ｂに温風の風量を弱めるとともに、温風の温度を下げる指示を出す。温風制御部４０ｂは、指示された内容に基づき、温風発生部３０の送風部３０ａ、加熱部３０ｂを制御する。これにより、水分量が閾値以下になった使用者の髪を過剰に乾燥させてしまうのを抑制することができる。
なお、制御部４０は、温風の温度又は風量のいずれか一方を下げたり、送風部３０ａ及び加熱部３０ｂを停止させ温風を完全に止めたり、加熱部３０ｂを停止させ送風状態にしたりしてもよい。
Ｓ９において、制御部４０は、使用者が表示部３６に表示された報知画面を見て操作部３５の「承認」ボタンが押されたか否かを確認する。「承認」ボタンが押されたと確認した場合（Ｓ９：Ｙｅｓ）、Ｓ１０に移行する。「承認」ボタンが押されていない場合（Ｓ９：Ｎｏ）、一定時間待った後に再度Ｓ９を実行する。
【００２６】
「承認」ボタンが押されたと確認したら（Ｓ９：Ｙｅｓ）、Ｓ１０において、制御部４０は、報知部３２を停止、具体的には、ＬＥＤ３２ａを消灯する。
続いて、Ｓ１１において、制御部４０は、表示部３６に引き続き髪の乾燥処理を行うか否かの選択画面を表示する。
例えば、使用者の頭部の異なる部位の髪を引き続き乾燥させるなど、引き続き乾燥処理を行いたい場合、使用者の操作部３５の操作により、引き続き乾燥処理を行う旨が選択され（Ｓ１１：Ｙｅｓ）、Ｓ５に戻り、頭部の異なる部位の乾燥処理を引き続き行う。上記Ｓ５〜Ｓ１２の処理が繰り返されることによって、髪を過剰に乾燥させてしまうことを抑制しつつ、髪全体を適度に乾燥させることができる。
引き続きの乾燥処理が不要な場合、操作部３５の操作により引き続き乾燥処理を行わない旨が選択され（Ｓ１１：Ｎｏ）、Ｓ１２に移行する。
Ｓ１２において、制御部４０は、温風制御部４０ｂにより温風発生部３０を停止させるとともに、照射部３３の照射を停止する。これにより、髪の乾燥処理が終了する。
【００２７】
以上より、本実施形態のドライヤ１０は、以下の効果を奏する。
（１）本実施形態のドライヤ１０は、被乾燥対象である髪の水分の含有量を検出する水分量検出部３１と、水分量検出部３１の検出結果に基づいて被乾燥対象である髪の水分量が所定値以下であるか否かを判定する判定部４０ａと、判定部４０ａが、被乾燥対象である使用者の髪の水分量が所定値以下であると判定した場合に、水分量の低下を報知する報知部３２とを備える。
これにより、使用者の注意を喚起することで、被乾燥対象を過剰に乾燥させてしまうのを抑制することができ、髪にダメージを与えてしまうのを抑制することができる。
（２）本実施形態のドライヤ１０は、近赤外線を被乾燥対象である髪に照射する照射部３３を有するので、より正確に髪の水分量を測定でき、髪を過剰に乾燥させてしまうのをより抑制することができる。
（３）本実施形態のドライヤ１０は、判定部４０ａが、水分量が所定値以下であると判定した場合に、温風制御部４０ｂが、温風の風量、及び、温風の温度のうち少なくとも一方を低下させるので、使用者の操作によらずとも、被乾燥対象である使用者の髪を過剰に乾燥させてしまう抑制することができる。
【００２８】
（第２実施形態）
次に、第２実施形態のドライヤについて説明する。
本実施形態のドライヤは、上述の第１実施形態のドライヤ１０（図１、図２参照）と同様の構成を有している。第１実施形態と同様の機能を果たす部分には、同一の符号又は末尾に同一の符号を付して、重複する説明を適宜省略する。
第１実施形態のドライヤ１０では、被乾燥対象である髪の水分量を１つの閾値に基づいて判定処理をしていたが、第２実施形態のドライヤでは、２つの閾値（第１の閾値と第２の閾値）を持ち、第１の閾値により報知部を制御し、第２の閾値により温風発生部３０の制御を行う。なお、本実施形態では、第２の閾値は、第１の閾値よりも水分量が低い値である（閾値１＞閾値２）。
【００２９】
本実施形態の記憶部３７は、操作部３５の操作により２つの閾値（第１の閾値、第２の閾値）を記憶することができる。
本実施形態の制御部４０の判定部４０ａは、２つの閾値と比較できる構成となっており、水分量検出３１から出力された測定値を、第１の閾値と比較し、水分量が第１の閾値以下であるか否かを判定し、また、水分量検出３１から出力された測定値を、第２の閾値と比較して、水分量が第２の閾値以下であるか否かを判定する。
【００３０】
次に、本実施形態のドライヤの動作について説明する。
図４は、第２実施形態のドライヤの制御部４０の処理を説明するフローチャートである。
使用者によりドライヤ１０のＯＮ／ＯＦＦスイッチ３４がＯＮにされたら、Ｓ２１において、ドライヤ１０の制御部４０は、被乾燥対象である髪の水分量の閾値を設定するために、表示部３６に閾値の設定画面を表示する。具体的には、制御部４０は、表示部３６に第１の閾値及び第２の閾値の設定画面を表示する。
【００３１】
第１の閾値の入力方法については、例えば、使用者は操作部３５の「上がる」「下がる」のボタンを使用して第１の閾値を選択し、「決定」のボタンを押す。これにより第１の閾値が決定される。なお、第２の閾値の入力方法についても同様である。
髪の水分量は１１％以上１５％以下が適当であるので、例えば、第１の閾値としては、１５％に設定することができ、第２の閾値は、例えば、１１％に設定することができる。
【００３２】
使用者が操作部３５を操作して第１の閾値を設定したら、Ｓ２２において、制御部４０は第１の閾値を取得し、記憶部３７に保存する。
続いて、使用者が、第１の閾値の設定と同様にして、操作部３５を操作して第２の閾値を設定したら、Ｓ２３において、制御部４０は、第２の閾値を取得し、記憶部３７に保存する。
各閾値の設定画面の表示の方法は、表示部３６に第１の閾値と第２の閾値の表示をするエリアを別に設け、第１の閾値と第２の閾値とを同時に表示してもよく、また、一つのエリアに第１の閾値と第２の閾値を交互に表示してもよい。
【００３３】
続いて、Ｓ２４において、制御部４０は、表示部３６に乾燥処理を開始するか否かの画面を表示する。乾燥処理の開始が操作部３５を介して選択された場合（Ｓ２４：Ｙｅｓ）、Ｓ２５に進み、乾燥処理の開始が選択されていない場合（Ｓ２４：Ｎｏ）、乾燥処理の開始が選択されるまで待機する。
【００３４】
使用者が、表示部３６に表示されたメッセージを確認して、操作部３５の操作を介して乾燥処理の開始を選択したら（Ｓ２４：Ｙｅｓ）、Ｓ２５において、制御部４０は、照射部３３を制御して、被乾燥対象である髪に対して近赤外光を含む光を照射する。
続いて、Ｓ２６において、制御部４０は、水分量検出部３１を制御して、使用者の髪の水分量の測定を開始する。具体的には水分量検出部３１から測定値を入力する。
次に、Ｓ２７において、制御部４０は、温風制御部４０ｂにより温風発生部３０を作動させて、使用者の髪に対し温風を送出する。
【００３５】
Ｓ２８において、制御部４０は、判定部４０ａにより水分量検出部３１による測定値が第１の閾値以下であるか否かを判定する。
測定値が第１の閾値以下であると判定した場合（Ｓ２８：Ｙｅｓ）、Ｓ２９に進み、測定値が第１の閾値以下でないと判定した場合（Ｓ２８：Ｎｏ）、Ｓ２６に戻り、髪の水分量の測定等を繰り返す。
【００３６】
測定値が第１の閾値以下であると判定したら（Ｓ２８：Ｙｅｓ）、Ｓ２９において、制御部４０は、報知部３２のＬＥＤ３２ａを点燈させ、使用者に髪の水分量が第１の閾値以下になった旨を報知する。また、制御部４０は、表示部３６に髪の水分量が第１の閾値以下になった旨の報知画面を表示する。これにより、使用者に対して、髪の水分量が第１の閾値以下になった旨をより気づき易くすることができる。
Ｓ３０において、制御部４０は、使用者が表示部３６に表示された報知画面を見て操作部３５の「承認」ボタンが押されたか否かを確認する。「承認」ボタンが押されたと確認した場合（Ｓ３０：Ｙｅｓ）、Ｓ３５に移行する。「承認」ボタンが押されていない場合（Ｓ３０：Ｎｏ）、Ｓ３１に移行する。
【００３７】
Ｓ３１において、制御部４０は、水分量検出部３１により髪の水分量の測定を継続する。
Ｓ３２において、制御部４０は、判定部４０ａにより水分量検出部３１による測定値が第２の閾値以下であるか否かを判定する。ここで、上述の水分量検出部３１による測定値は、一定時間（例えば、１０秒）の平均値を用いるようにしてもよい。また、平均については、相加平均の他に、相乗平均、二乗平均などの一般化平均を用いることができる。
測定値が第２の閾値以下であると判定した場合（Ｓ３２：Ｙｅｓ）、Ｓ３３に進み、測定値が第２の閾値以下でないと判定した場合（Ｓ３２：Ｎｏ）、Ｓ３０に戻る。
【００３８】
なお、測定値の平均値をとる場合、第１の閾値と比較する測定値と、第２の閾値と比較する測定値とで異なる計算方法による平均値を用いてもよい。
例えば、第１の閾値は測定値の相加平均値と比較し、第２の閾値は測定値の相乗平均値と比較する等であってもよい。また、平均値をとる時間（上述の一定時間）を第１の閾値と第２の閾値で変えてもよい。
【００３９】
Ｓ３３において、制御部４０は、温風制御部４０ｂに温風の風量を弱めるとともに、温風の温度を下げる指示を出す。温風制御部４０ｂは、指示された内容に基づき、温風発生部３０の送風部３０ａ、加熱部３０ｂを制御する。
なお、制御部４０は、温風の温度又は風量のいずれか一方を下げたり、送風部３０ａ及び加熱部３０ｂを停止させ温風を完全に止めたり、加熱部３０ｂを停止させ送風状態にしたりしてもよい。
Ｓ３４において、制御部４０は、使用者が表示部３６に表示された報知画面を見て操作部３５の「承認」ボタンが押されたか否かを再度確認する。「承認」ボタンが押されたと確認した場合（Ｓ３４：Ｙｅｓ）、Ｓ３５に移行する。「承認」ボタンが押されていない場合（Ｓ３４：Ｎｏ）、一定時間待った後に再度Ｓ３４を実行する。
【００４０】
「承認」ボタンが押されたと確認したら（Ｓ３０：Ｙｅｓ、Ｓ３４：Ｙｅｓ）、Ｓ３５において、制御部４０は、報知部３２を停止、具体的には、ＬＥＤ３２ａを消灯する。
続いて、Ｓ３６において、制御部４０は、表示部３６に引き続き髪の乾燥処理を行うか否かの選択画面を表示する。
例えば、使用者の頭部の異なる部位の髪を引き続き乾燥させるなど、引き続き乾燥処理を行いたい場合、使用者の操作部３５の操作により、引き続き乾燥処理を行う旨が選択され（Ｓ３６：Ｙｅｓ）、Ｓ２６に戻り、頭部の異なる部位の乾燥処理を行う。上記Ｓ２６〜Ｓ３６の処理が繰り返されることによって、髪を過剰に乾燥させてしまうことを抑制しつつ、髪全体を適度に乾燥させることができる。
引き続きの乾燥処理が不要な場合、操作部３５の操作により引き続き乾燥処理を行わない旨が選択され（Ｓ３６：Ｎｏ）、Ｓ３７に移行する。
Ｓ３７において、制御部４０は、温風制御部４０ｂにより温風発生部３０を停止させるとともに、照射部３３の照射を停止する。以上により、使用者の髪の乾燥処理が完了する。
【００４１】
以上より、本実施形態のドライヤは、上述の第１実施形態と同様の効果を奏する。
また、本実施形態のドライヤは、判定部が第１の閾値、第２の閾値に基づいて、報知部３２の動作、温風発生部３０の制御を行っている。これにより、本実施形態のドライヤは、例えば、髪の水分量が第１の閾値以下となり報知部３２が作動（点等）したにもかかわらず、使用者が気づかずに、ドライヤを使用し続けたとしても、第２の閾値以下になった時点で、温風発生部３０を制御して髪の水分量が低下しすぎてしまうのを大幅に抑制することができる。
【００４２】
以上、本発明のドライヤにおける実施形態について説明したが、本発明は説明した実施形態に限定されるものではなく、各請求項に記載した範囲において各種の変形を行うことが可能である。
上述の各実施形態のドライヤは、水分量の測定は連続して行う例で説明したが、間欠的に行うものとしてもよい。この場合、ドライヤから送出される温風による外乱を排除するために、水分量の測定を行う際には温風を止めてもよい。これにより正確な水分量の測定ができる。
上述の実施形態では、ドライヤ１０は、髪を乾かすヘアドライヤの例で説明したが、これに限定されるものでなく、例えば、工業用に用いられるドライヤとして用いてもよい。
上述の第２実施形態のドライヤは、判定部４０ａに２つの閾値を設定する例で説明したが、これに限定されるものでなく、３以上の閾値を設定するようにしてもよい。例えば、第２閾値よりも更に小さい値の第３の閾値を更に設け、髪の水分量が第３の閾値以下となった場合、温風発生部３０を完全に停止させるようにしてもよい。これにより、使用者の髪の過剰な乾燥を防ぐことができる。
【符号の説明】
【００４３】
１０    ドライヤ
２０    本体部
２１    把持部
２２    送風流路
２３    吸入口
２４    吐出口
３０    温風発生部
３０ａ    送風部
３０ｂ    加熱部
３１    水分量検出部
３２    報知部
３２ａ    ＬＥＤ
３３    照射部
３４    ＯＮ／ＯＦＦスイッチ
３５    操作部
３６    表示部
３７    記憶部
４０    制御部
４０ａ    判定部
４０ｂ    温風制御部
【図１】
2020081625.tif 000003
【図２】
2020081625.tif 000004
【図３】
2020081625.tif 000005
【図４】
2020081625.tif 000006